(57)【要約】  ＩＢＯＣ方式の信号フォーマットにより伝送される放送信号を受信するのに適した放送受信機であって、当該放送信号を受信する受信手段と、デジタル信号の復号処理によって取得可能なチャネルに関する情報を保持する情報保持手段とを備え、当該チャネルに関する情報を使用するときに、当該使用するチャネルに関する情報が前記情報保持手段に保持されていれば、前記情報保持手段に保持されている当該チャネルに関する情報を使用することを特徴とする放送受信機。
2008026696.tif 000002
【特許請求の範囲】
【請求項１】
ＩＢＯＣ方式の信号フォーマットにより伝送される放送信号を受信するのに適した放送受信機であって、
当該放送信号を受信する受信手段と、
デジタル信号の復号処理によって取得可能なチャネルに関する情報を保持する情報保持手段と、
を備え、
当該チャネルに関する情報を使用するときに、当該使用するチャネルに関する情報が前記情報保持手段に保持されていれば、前記情報保持手段に保持されている当該チャネルに関する情報を使用する
ことを特徴とする放送受信機。
【請求項２】
前記受信手段が受信した放送信号に含まれるデジタル信号の復号処理を行うデジタル信号復号手段を更に備え、
当該使用するチャネルに関する情報が前記情報保持手段に保持されていなければ、デジタル信号の復号処理によって当該使用するチャネルに関する情報を取得する
ことを特徴とする請求項１に記載の放送受信機。
【請求項３】
前記情報保持手段は、デジタル信号復号手段の復号処理によって取得された当該チャネルに関する情報を保持する
ことを特徴とする請求項１又は請求項２に記載の放送受信機。
【請求項４】
デジタル信号を含む放送信号の受信に適したフィルタ処理を行う広帯域フィルタ手段と、
アナログ信号のみを含む放送信号の受信に適したフィルタ処理を行う狭帯域フィルタ手段と、
当該チャネルに関する情報に基づいて、前記広帯域フィルタ手段と前記狭帯域フィルタ手段の何れを使用するかを決定するフィルタ決定手段と、
を更に備えている
ことを特徴とする請求項１から請求項３の何れかに記載の放送受信機。
【請求項５】
前記デジタル信号復号手段によるデジタル信号の復号処理の結果に基づいて、当該チャネルの放送信号がデジタル信号を含むか否かを判断するデジタル判断手段を更に備え、
前記情報保持手段は、前記デジタル判断手段による判断結果を当該チャネルに関する情報として保持し、
前記フィルタ決定手段は、前記デジタル判断手段による判断結果が、当該放送信号がデジタル信号を含むことを示す場合には前記広帯域フィルタ手段の使用を決定し、デジタル放送を含まないことを示す場合には前記狭帯域フィルタ手段の使用を決定する、
ことを特徴とする、請求項４に記載の放送受信機。
【請求項６】
当該チャネルに関する情報に基づいて、放送信号がデジタル信号を含むチャネルのみをシークするチャネルシーク手段を更に備える
ことを特徴とする請求項１から請求項５のいずれかに記載の放送受信機。
【請求項７】
表示手段を更に備え、
前記表示手段は当該チャネルに関する情報を表示する
ことを特徴とする請求項１から請求項６の何れかに記載の放送受信機。
【請求項８】
当該チャネルに関する情報は当該チャネルの局名情報を含む
ことを特徴とする請求項７に記載の放送受信機。
【請求項９】
前記デジタル判断手段による判断結果に基づいて当該チャネルに関する情報を更新する
ことを特徴とする請求項１から請求項８の何れかに記載の放送受信機。
【請求項１０】
ＩＢＯＣ方式の信号フォーマットにより伝送される放送信号の受信方法であって、
当該放送信号を受信する受信ステップと、
デジタル信号の復号処理によって取得可能なチャネルに関する情報を保持する情報保持ステップと、
を含み、
当該チャネルに関する情報を使用するときに、当該使用するチャネルに関する情報が前記情報保持ステップによって保持されていれば、前記情報保持ステップによって保持された当該チャネルに関する情報を使用する
ことを特徴とする受信方法。
【請求項１１】
前記受信ステップにおいて受信された放送信号に含まれるデジタル信号の復号処理を行うデジタル信号復号ステップを更に含み、
当該使用するチャネルに関する情報が前記情報保持ステップにおいて保持されていないときに、前記デジタル信号復号ステップが行われて、当該使用するチャネルに関する情報を取得する
ことを特徴とする請求項１０に記載の受信方法。
【請求項１２】
前記情報保持ステップは、デジタル信号復号ステップによって取得された当該チャネルに関する情報を保持する
ことを特徴とする請求項１０又は請求項１１に記載の受信方法。
【請求項１３】
当該チャネルに関する情報に基づいて、デジタル信号を含む放送信号の受信に適した広帯域フィルタ手段とアナログ信号のみを含む放送信号の受信に適した狭帯域フィルタ手段の何れを使用するかを決定するフィルタ決定ステップと、
を更に含む
ことを特徴とする請求項１０から請求項１２に記載の受信方法。
【請求項１４】
前記デジタル信号復号ステップによるデジタル信号の復号処理に基づいて、当該チャネルの放送信号がデジタル信号を含むか否かを判断するデジタル判断ステップを更に含み、
前記情報保持ステップにおいて、前記デジタル判断ステップによる判断結果が当該チャネルに関する情報として保持され、
前記フィルタ決定ステップにおいて、前記デジタル判断ステップによる判断結果が、当該放送信号がデジタル信号を含むことを示す場合には前記広帯域フィルタ手段の使用が決定され、デジタル放送を含まないことを示す場合には前記狭帯域フィルタ手段の使用が決定される、
ことを特徴とする、請求項１３に記載の受信方法。
【請求項１５】
当該チャネルに関する情報に基づいて、放送信号がデジタル信号を含むチャネルのみをシークするシークステップを更に含む
ことを特徴とする請求項１０から１４の何れかに記載の受信方法。
【請求項１６】
当該チャネルに関する情報を表示するステップを更に含む
ことを特徴とする請求項１０から請求項１５の何れかにに記載の受信方法。
【請求項１７】
当該チャネルに関する情報は当該チャネルの局名情報を含む
ことを特徴とする請求項１６に記載の受信方法。
【請求項１８】
前記デジタル判断ステップによる判断結果に基づいて当該チャネルに関する情報を更新する
ことを特徴とする請求項１０から請求項１７の何れかに記載の受信方法。
【発明の詳細な説明】
【技術分野】
【０００１】
本発明は、ＩＢＯＣ（In Band On Channel）方式のラジオ放送の受信に適した放送受信機及び受信方法に関する。
【背景技術】
【０００２】
近年、音響機器や映像機器等において音声や映像をデジタル形式で処理／管理することが一般化している。このような音響機器等における音声や映像のデジタル符号化の趨勢はラジオ放送の分野にも波及している。例えば米国では、ＩＢＯＣ（In Band On Channel）と呼ばれるデジタルラジオ放送方式がｉＢｉｑｕｉｔｙ（アイビクイティ）社によって提案され、実用化されている。【０００３】
ところで、従来のアナログラジオ放送は、各放送局に割り当てられた周波数帯域（以下、「チャネル」あるいは「周波数チャネル」という）内に周波数分布をもつ搬送波（以下、「アナログ搬送波」という）によって放送される。実際には、隣接するチャネルのアナログ搬送波同士の干渉を避けるために、割り当てられた帯域のうち中心部分のみがアナログ搬送波の伝送に使用され、それ以外の部分は使用されていない。
なお、本明細書において「デジタルラジオ放送」とは、「ＩＢＯＣ方式のデジタルラジオ放送」を意味するものとする。【０００４】
ＩＢＯＣ方式は、従来のアナログラジオ放送に割り当てられた周波数チャネルを使用してデジタルラジオ放送を行う方式である。ＩＢＯＣ方式には、既存のアナログラジオ放送の信号にデジタルラジオ放送の信号を重畳させたハイブリッドフォーマットや、デジタル信号のみからなるオールデジタルフォーマットなど、複数の信号フォーマットが規定されており、既存のアナログラジオ放送から多機能・高品位なオールデジタルラジオ放送へと段階的に移行できるようにデザインされている。なお、ＩＢＯＣ方式では、多数の搬送波（サブキャリア）を使用する直交周波数分割多重（ＯＦＤＭ）方式によってデジタル放送信号が伝送される。【０００５】
また、ＩＢＯＣ方式では、アナログ放送からオールデジタル放送への過渡期において利用される、ハイブリッドフォーマットという信号フォーマットが規定されている。ハイブリッドフォーマットでは、アナログ搬送波が使用するチャネル帯域の中心部分に隣接する従来使用されていなかった周波数部分（以下、「サイドバンド」という）にデジタル放送のサブキャリアが配置される。すなわちＩＢＯＣ方式のハイブリッドフォーマットによれば、既存のアナログラジオ放送の周波数チャネルとして割り当てられた帯域を有効に活用して、アナログラジオ放送とデジタルラジオ放送が同一チャネルを使用して同時に伝送される。【０００６】
このようなＩＢＯＣ方式のデジタルラジオ放送を受信可能なＩＢＯＣ放送受信機が、例えば特開２００４−３４９８０５号公報（以下、「参考文献」という）に開示される。上記参考文献に開示されるＩＢＯＣ放送受信機は、先ず、受信信号を、選局する周波数チャネルのアナログ搬送波が存在する中心部分とそれに隣接するサブキャリアが配置される部分（サイドバンド）を含む広い周波数帯域でフィルタリングし、アナログ搬送波と共にサブキャリアも復調する。そして、復調の結果ＩＢＯＣ信号（デジタルラジオ放送であることを示す識別情報）が得られた場合、選局する周波数チャネルでデジタルラジオ放送が伝送されていることから、以降もサイドバンドを復調できるよう、フィルタリングの設定を広帯域で維持する。【０００７】
一方で、ＩＢＯＣ信号が得られなかった場合には、選局する周波数チャネルではアナログラジオ放送だけが伝送されており、サイドバンドには有効な情報が含まれていない。附言するに、サイドバンドは有効な情報を含まないだけでなく、隣接帯域による妨害（隣接する周波数チャネルの信号に起因するノイズであり、以下、「隣接妨害」と略記）を受け易く、選局する周波数チャネルのＣＮ比を低下させる要因にもなる。このため、ＩＢＯＣ信号が得られなかった場合には、選局する周波数チャネルの信号をアナログ搬送波の帯域でフィルタリングする。これによって、不要且つ隣接妨害の影響を受け易いサイドバンドをカットして、アナログラジオ放送のＣＮ比改善を図っている。【０００８】
すなわち上記技術文献に開示されるＩＢＯＣ放送受信機は、フィルタリングの帯域をＩＢＯＣ信号の有無に応じて切り替え可能とし、選局するチャネルがアナログラジオ放送だけを含むと判定したときに限り、サイドバンドをカットしてアナログラジオ放送のＣＮ比を向上させる構成となっている。【０００９】
上記技術文献によれば、フィルタリング処理で用いられる帯域を設定するために、上述したように選局する周波数チャネルに対して復号処理を行い、その復号処理の結果に基づいて当該周波数チャネルでデジタルラジオ放送が行われているか否かを判定している。しかし、デジタルラジオ放送を復号するための復号処理は時間を要する処理である。従って、このようなＩＢＯＣ放送受信機ではフィルタリングの帯域設定に時間が掛かるという問題点があった。
【発明の開示】
【００１０】
本発明は、デジタル信号の復号によって取得されるチャネルに関する情報を使用する処理に要する時間を削減することが可能な、ＩＢＯＣ方式の放送信号の受信に適した受信装置および受信方法を提供することを目的としている。
【００１１】
本発明の実施形態により、ＩＢＯＣ方式の信号フォーマットにより伝送される放送信号を受信するのに適した放送受信機であって、当該放送信号を受信する受信手段と、デジタル信号の復号処理によって取得可能なチャネルに関する情報を保持する情報保持手段とを備えた放送受信機が提供される。この放送受信機は、当該チャネルに関する情報を使用するときに、当該使用するチャネルに関する情報が前記情報保持手段に保持されていれば、前記情報保持手段に保持されている当該チャネルに関する情報を使用することを特徴としたものである。
【００１２】
任意選択により、本発明の実施形態による放送受信機は、前記受信手段が受信した放送信号に含まれるデジタル信号の復号処理を行うデジタル信号復号手段を更に備え、当該使用するチャネルに関する情報が前記情報保持手段に保持されていなければ、デジタル信号の復号処理によって当該使用するチャネルに関する情報を取得するように構成されていてもよい。また、前記情報保持手段は、デジタル信号復号手段の復号処理によって取得された当該チャネルに関する情報を保持してもよい。
【００１３】
このように構成された放送受信機は、放送信号の受信に関する処理において使用する当該チャネルに関する情報を、その都度デジタル信号を復号することなく使用することができる。このため放送受信機の動作速度が向上する。
【００１４】
任意選択により、本発明の実施形態による放送受信機は、デジタル信号を含む放送信号の受信に適したフィルタ処理を行う広帯域フィルタ手段と、アナログ信号のみを含む放送信号の受信に適したフィルタ処理を行う狭帯域フィルタ手段と、当該チャネルに関する情報に基づいて、前記広帯域フィルタ手段と前記狭帯域フィルタ手段の何れを使用するかを決定するフィルタ決定手段とを更に備えていてもよい。
【００１５】
このように構成された放送受信機は、その都度デジタル信号を復号することなく、受信に使用するフィルタを決定することが可能となる。これにより、迅速に適切な受信設定に変更することが可能になる。
【００１６】
また、上記の放送受信機は、前記デジタル信号復号手段によるデジタル信号の復号処理の結果に基づいて、当該チャネルの放送信号がデジタル信号を含むか否かを判断するデジタル判断手段を備えていてもよい。この場合において、前記情報保持手段は、前記デジタル判断手段による判断結果を当該チャネルに関する情報として保持し、前記フィルタ決定手段は、前記デジタル判断手段による判断結果が、当該放送信号がデジタル信号を含むことを示す場合には前記広帯域フィルタ手段の使用を決定し、デジタル放送を含まないことを示す場合には前記狭帯域フィルタ手段の使用を決定するように動作しうる。
【００１７】
任意選択により、本発明の実施形態による放送受信機は、当該チャネルに関する情報に基づいて、放送信号がデジタル信号を含むチャネルのみをシークするチャネルシーク手段を備えていてもよい。
【００１８】
このように構成された放送受信機は、その都度デジタル信号を復号することなく、デジタル放送を行っているチャネルのみをシークすることができ、よどみのないチャネルシークが実現される。
【００１９】
任意選択により、本発明の実施形態による放送受信機は、表示手段を備えていてもよい。この場合において、表示手段は当該チャネルに関する情報を表示しうる。
【００２０】
このように構成された放送受信機は、その都度デジタル信号を復号して表示するべき情報を取得することなく、速やかに当該チャネルに関する情報を表示することができる。
【００２１】
また、上記の放送受信機においては、当該チャネルに関する情報は当該チャネルの局名情報を含んでいてもよい。
【００２２】
任意選択により、本発明の実施形態による放送受信機は、前記デジタル判断手段による判断結果に基づいて当該チャネルに関する情報を更新してもよい。
【００２３】
このように構成された放送受信機は、保持される当該チャネルに関する情報が適宜更新されるため、受信状態の変化に応じて適切な設定で受信を行うことができる。
【００２４】
また、本発明の実施形態により、ＩＢＯＣ方式の信号フォーマットにより伝送される放送信号の受信方法であって、当該放送信号を受信する受信ステップと、デジタル信号の復号処理によって取得可能なチャネルに関する情報を保持する情報保持ステップを含む受信方法が提供される。この受信方法は、当該チャネルに関する情報を使用するときに、当該使用するチャネルに関する情報が前記情報保持ステップによって保持されていれば、前記情報保持ステップによって保持された当該チャネルに関する情報を使用することを特徴としたものである。
【００２５】
任意選択により、本発明の実施形態による受信方法は、前記受信ステップにおいて受信された放送信号に含まれるデジタル信号の復号処理を行うデジタル信号復号ステップを更に含んでいてもよい。この場合において、当該使用するチャネルに関する情報が前記情報保持ステップにおいて保持されていないときに、前記デジタル信号復号ステップが行われて、当該使用するチャネルに関する情報を取得しうる。また、前記情報保持ステップは、デジタル信号復号ステップによって取得された当該チャネルに関する情報を保持してもよい。
【００２６】
任意選択により、本発明の実施形態による受信方法は、当該チャネルに関する情報に基づいて、デジタル信号を含む放送信号の受信に適した広帯域フィルタ手段とアナログ信号のみを含む放送信号の受信に適した狭帯域フィルタ手段の何れを使用するかを決定するフィルタ決定ステップを含んでいてもよい。
【００２７】
任意選択により、本発明の実施形態による受信方法は、前記デジタル信号復号ステップ手段によるデジタル信号の復号処理に基づいて、当該チャネルの放送信号がデジタル信号を含むか否かを判断するデジタル判断ステップを含んでいてもよい。この場合においては、前記情報保持ステップにおいて前記デジタル判断ステップによる判断結果が当該チャネルに関する情報として保持され、前記フィルタ決定ステップにおいて前記デジタル判断ステップによる判断結果が当該放送信号がデジタル信号を含むことを示す場合には前記広帯域フィルタ手段の使用が決定されデジタル放送を含まないことを示す場合には前記狭帯域フィルタ手段の使用が決定されうる。
【００２８】
任意選択により、本発明の実施形態による受信方法は、当該チャネルに関する情報に基づいて、放送信号がデジタル信号を含むチャネルのみをシークするシークステップを含んでいてもよい。
【００２９】
任意選択により、本発明の実施形態による受信方法は、当該チャネルに関する情報を表示するステップを含んでいてもよい。この場合、当該チャネルに関する情報は当該チャネルの局名情報を含みうる。
【００３０】
任意選択により、本発明の実施形態による受信方法において、前記デジタル判断ステップによる判断結果に基づいて当該チャネルに関する情報が更新されてもよい。
【図面の簡単な説明】
【００３１】
【図１】本発明の実施の形態のＩＢＯＣ放送受信機を具備したオーディオ装置の構成を示したブロック図である。
【図２】本発明の実施の形態のマイクロコンピュータの内部メモリに保持される初期的なテーブルデータを概念的に示した図である。
【図３】本発明の実施の形態のオーディオ装置におけるプリセットチャネル設定処理を説明するフローチャートである。
【図４】本発明の実施の形態のマイクロコンピュータの内部メモリに保持されるテーブルデータの一例を概念的に示した図である。
【図５】本発明の実施の形態のオーディオ装置における放送局名表示処理を説明するフローチャートである。
【図６】本発明の実施の形態のオーディオ装置におけるフィルタ切替処理を説明するフローチャートである。
【図７】本発明の実施の形態のオーディオ装置におけるシーク処理を説明するフローチャートである。
【発明を実施するための最良の形態】
【００３２】
以下、図面を参照して、本発明の実施の形態のＩＢＯＣ放送受信機の構成および作用について説明する。【００３３】
図１は、本発明の実施の形態のＩＢＯＣ放送受信機を備えたオーディオ装置１００の構成を示したブロック図である。オーディオ装置１００はＩＢＯＣ方式のラジオ放送に対応したものであり、当該方式の信号フォーマットによるアナログ／デジタルラジオ放送信号を受信して処理するよう設計されている。【００３４】
オーディオ装置１００はアンテナ１、チューナ２、ＩＦ（Intermediate Frequency）広帯域フィルタ３、ＩＦ狭帯域フィルタ４、フィルタ切替スイッチ５、ＩＦアンプ６、セパレータＳＥＰ、ＩＦフィルタ７、Ａ／Ｄコンバータ８、アナログ用信号処理回路９、オーディオ処理回路１０、Ｄ／Ａコンバータ１１、パワーアンプ１２、スピーカ１３、ＰＬＬ（Phase Locked Loop）回路１４、マイクロコンピュータ１５、ＩＤＭ（IBOC Digital Module）１６、受光部１７、リモート・コントローラ（以下、「リモコン」と記す）１８、およびディスプレイ１９を備える。【００３５】
リモコン１８にはオーディオ装置１００を操作するための操作キーが設けられている。ユーザがリモコン１８を操作すると、その操作に応じた制御パルスがリモコン１８から出力される。このとき出力される制御パルスは例えばＩｒＤＡ規格に準拠した信号である。受光部１７は、リモコン１８が出力した制御パルスを受信すると、それをマイクロコンピュータ１５に渡す。【００３６】
マイクロコンピュータ１５はオーディオ装置１００全体の統括的な制御を司るものであり、制御プログラムが実装されている。そして、受光部１７から受け取った制御パルスに基づいてそれらのプログラムを実行し、オーディオ装置１００内の各構成要素を制御する。また、マイクロコンピュータ１５は内部メモリＭを備えている。この内部メモリＭには各種データが保持される。【００３７】
ここで、オーディオ装置１００における一連の信号処理について説明する。【００３８】
アンテナ１は、ラジオ放送の各チャネルのＲＦ（Radio Frequency）信号を受信する。アンテナ１で受信された各ＲＦ信号はチューナ２に入力する。【００３９】
チューナ２は、マイクロコンピュータ１５によるＰＬＬ回路１４を介した制御により、入力した各ＲＦ信号の中から選局するチャネルのＲＦ信号を選択して周波数変換を行う。具体的には、安定動作や選択特性が改善される中間周波数すなわちＩＦ信号に変換する。周波数変換後のＩＦ信号は、ＩＦ広帯域フィルタ３およびＩＦ狭帯域フィルタ４の両フィルタに入力する。なお、上記選局するチャネルは、例えばユーザ・オペレーションによる選局操作に従って決定される。また、最後に選局されたチャネル（以下、「ラストチャネル」と記す）の情報は例えばマイクロコンピュータ１５の内部メモリＭに保存される。【００４０】
ＩＦ広帯域フィルタ３およびＩＦ狭帯域フィルタ４は、チューナ２からのＩＦ信号をフィルタリングしてフィルタ切替スイッチ５に出力する。ＩＦ狭帯域フィルタ４では、ＩＦ信号はアナログ搬送波の帯域（以下、「狭帯域」と記す）にフィルタリングされてフィルタ切替スイッチ５に出力される。また、ＩＦ広帯域フィルタ３では、ＩＦ信号は当該アナログ搬送波およびそのサイドバンドであって、ＩＢＯＣ信号を含む帯域（以下、アナログ搬送波とサイドバンドからなる帯域を「広帯域」と記す）にフィルタリングされてフィルタ切替スイッチ５に出力される。【００４１】
フィルタ切替スイッチ５は、マイクロコンピュータ１５による後述の制御に従って、ＩＦ広帯域フィルタ３又はＩＦ狭帯域フィルタ４でフィルタリングされた何れか一方のＩＦ信号をＩＦアンプ６に出力する。次いで、ＩＦアンプ６が、フィルタ切替スイッチ５からのＩＦ信号を増幅してセパレータＳＥＰに出力する。セパレータＳＥＰは、入力したＩＦ信号を例えばその周波数帯に基づいて２つの信号成分に分離する。１つは、アナログ搬送波をＩＦ信号に変換することで得られた信号成分（以下、「アナログＩＦ信号」と記す）であり、もう１つは、サイドバンドをＩＦ信号に変換することで得られた信号成分（以下、「デジタルＩＦ信号」と記す）である。セパレータＳＥＰは、分離して得られたアナログＩＦ信号、デジタルＩＦ信号のそれぞれをＩＦフィルタ７、Ａ／Ｄコンバータ８に出力する。【００４２】
なお、フィルタ切替スイッチ５が狭帯域ＩＦ信号を出力するようスイッチング制御されている場合、サイドバンドはカットされるため、ＩＦアンプ６に入力するＩＦ信号にはデジタルＩＦ信号が含まれない。この場合、セパレータＳＥＰに入力するＩＦ信号は実質的にアナログＩＦ信号だけである。従って、セパレータＳＥＰで分離処理が行われてもデジタルＩＦ信号が得られず、セパレータＳＥＰからＡ／Ｄコンバータ８には何れの入力もない。【００４３】
ＩＦフィルタ７は、入力したアナログＩＦ信号に対して不要な周波数成分を除去するようフィルタリング処理を行ってＡ／Ｄコンバータ８に出力する。Ａ／Ｄコンバータ８は、アナログＩＦ信号用とデジタルＩＦ信号用に別個にＡ／Ｄ変換処理回路を備えている。そして、入力したアナログ又はデジタルＩＦ信号をそれぞれに対応したＡ／Ｄ変換処理回路によってＡ／Ｄ変換する。Ａ／Ｄコンバータ８は、Ａ／Ｄ変換したアナログＩＦ信号、デジタルＩＦ信号のそれぞれをアナログ用信号処理回路９、ＩＤＭ１６に出力する。なお、ＩＦアンプ６のゲインは、Ａ／Ｄコンバータ８に入力するＩＦ信号のレベルに基づいたフィードバック制御によって調整される。【００４４】
アナログ用信号処理回路９には、アナログＩＦ信号を検波するための検波回路、ノイズキャンセラー、および弱電界処理回路が含まれる。アナログ用信号処理回路９に入力したアナログＩＦ信号は、検波回路によってオーディオ信号に復調される。次いで、ノイズキャンセラーによってノイズ除去される。ノイズ除去後、弱電界処理回路によって選局するチャネルの受信状態に応じた処理（ミュート、ハイカット、セパレーション制御等）を施される。そしてこれら一連の処理後、オーディオ処理回路１０に出力される。なお、説明の便宜上、アナログ用信号処理回路９の処理を経て出力されるオーディオ信号を「アナログオーディオ信号」と記す。【００４５】
また、ＩＤＭ１６は、入力したデジタルＩＦ信号に対して周知のデコード処理を行ってオーディオ信号を得る。そして、得られたオーディオ信号をオーディオ処理回路１０に出力する。なお、説明の便宜上、ＩＤＭ１６の処理を経て出力されるオーディオ信号を「デジタルオーディオ信号」と記す。【００４６】
次いで、オーディオ処理回路１０が、入力したオーディオ信号に所定の処理を施してボリューム回路（不図示）に出力する。当該オーディオ信号は、ボリューム回路でボリュームコントロールされた後、Ｄ／Ａコンバータ１１に入力する。なお、オーディオ処理回路１０は、アナログオーディオ信号とデジタルオーディオ信号の両方が入力した場合には、何れか一方を出力する。附言するに初期設定ではデジタルオーディオ信号を優先して出力する。例えば入力信号がアナログオーディオ信号のみから両方のオーディオ信号に変わったとき、オーディオ処理回路１０はデジタルオーディオ信号を出力するよう動作する。【００４７】
Ｄ／Ａコンバータ１１は、入力したオーディオ信号をＤ／Ａ変換してパワーアンプ１２に出力する。パワーアンプ１２はオーディオ信号を増幅してスピーカ１３に出力する。これにより、ラジオ放送がスピーカ１３から出力再生される。なお、オーディオ処理回路１０には、入力したアナログオーディオ信号とデジタルオーディオ信号をスムーズに切り替えて出力するブレンド回路が実装されている。ブレンド回路により、出力信号がアナログオーディオ信号からデジタルオーディオ信号（又はデジタルオーディオ信号からアナログオーディオ信号）に切り替えられたとき、スピーカ１３から出力される音声が、ユーザにその切り替わりを感じさせないほど自然につながる。【００４８】
ここで、ＩＤＭ１６によるデコード結果にはデジタルラジオ放送に関するデータが含まれる。このデジタルラジオ放送に関するデータには、例えばそのデジタルラジオ放送を行っている放送局名を表すデータ（以下、「放送局名データ」と記す）等がある。マイクロコンピュータ１５は、ＩＤＭ１６によるデコード結果からこのようなデータを取得して、所定のテーブルデータとして内部メモリＭに保持する。また、保持されたデータを処理してディスプレイ１９に表示させることも可能である。【００４９】
図２に、内部メモリＭに保持される初期的なテーブルデータを概念的に示す。オーディオ装置１００ではユーザ・オペレーションにより、例えば「０」乃至「６」の計７つのプリセットチャネルを設定することが可能である。内部メモリＭには各プリセットチャネルに対応したデータが含まれる。図２に示されるように、各データは「プリセットチャネル」、「周波数帯」、「ＨＤ（High Definition）局判定」、「ショートネーム」の互いにリレーショナルなフィールドへのエントリデータから成る。なお初期的には、「プリセットチャネル」の各々には、プリセットチャネルの番号（「０」乃至「６」の何れか）がエントリされている。また「周波数帯」および「ショートネーム」の各々には、ヌルデータ（図２の「−」）がエントリされている。また「ＨＤ局判定」には「００」がエントリされている。「００」とは、それに対応するプリセットチャネルに関して後述の有局判断の処理が成されていない、或いは有局判断の処理で局が検出されなかった（つまり無局である）ことを表すデータである。【００５０】
次に、本実施形態のオーディオ装置１００におけるプリセットチャネル設定処理について説明する。図３に、オーディオ装置１００におけるプリセットチャネル設定処理のフローチャートを示す。【００５１】
図３のフローチャートの処理は、チューナ２で何れかの周波数帯にチューニングされている状態でプリセットチャネルを設定するためのユーザ・オペレーションが行われると開始される。なお、ここでのユーザ・オペレーションとは、例えばリモコン１８に備えられたプリセットチャネルを選択するためのプリセットチャネルボタン「０」乃至「６」の何れかを長押しすることである。例えば「１」のプリセットチャネルボタンが長押しされると、プリセットチャネル「１」についての設定処理が開始される。【００５２】
図３のフローチャートの処理が開始されると、マイクロコンピュータ１５は、ＩＦ広帯域フィルタ３とＩＦアンプ６とを接続させるようフィルタ切替スイッチ５をスイッチング制御する（ステップ１、以下、明細書および図面においてステップを「Ｓ」と略記）。すなわち広帯域のＩＦ信号をＩＦアンプ６に入力させる。これは、アナログラジオ放送およびデジタルラジオ放送の両方に対する処理を実行可能にするためである。【００５３】
マイクロコンピュータ１５はＳ１の処理に次いで、チューニングされている周波数帯についてＩＤＭ１６によるデコード処理を試行する。そしてそのデコード結果としてＩＢＯＣ信号を取得できるか否かを判定する（Ｓ２）。換言すると、チューニングされている周波数帯でデジタルラジオ放送が行われているか否かを判定する。【００５４】
Ｓ２の処理においてマイクロコンピュータ１５は、ＩＢＯＣ信号を取得できないと判定したとき（Ｓ２：ＮＯ）、チューニングされている周波数帯でデジタルラジオ放送が行われていないと判断してＳ３の処理に進む。Ｓ３の処理では、マイクロコンピュータ１５はチューナ２が出力するＩＦ信号を監視して受信強度およびノイズレベルの情報を取得し、Ｓ４の処理に進む。【００５５】
Ｓ４の処理においてマイクロコンピュータ１５は、内蔵されているタイマＡがセットされているか否かを判定する。附言するにこのタイマＡは、受信状態が安定的であるか否かを一定時間監視するためにセットされるものである。タイマＡがセットされている場合（Ｓ４：ＹＥＳ）、マイクロコンピュータ１５はＳ６の処理に進む。またタイマＡがセットされていない場合には（Ｓ４：ＮＯ）、タイマＡを「Ｎ」にセットして計時を開始し（Ｓ５）、Ｓ６の処理に進む。【００５６】
Ｓ６の処理においてマイクロコンピュータ１５は、Ｓ３の処理で取得された受信強度およびノイズレベルを用いて受信状態の判定処理を行う。ここで、この受信強度が第一の閾値よりも高く且つノイズレベルが第二の閾値よりも低い場合（Ｓ６：ＹＥＳ）、マイクロコンピュータ１５は、受信状態がＩＢＯＣ信号を取得できるレベルにあると判断する。次いで、タイマＡがタイムアウトしたか否かを判定する（Ｓ７）。【００５７】
Ｓ７の処理においてマイクロコンピュータ１５は、タイマＡがタイムアウトしていると判定したとき（Ｓ７：ＹＥＳ）、現在の周波数帯の受信状態が安定して良好であるため有局であると判断する。しかしその一方で、受信状態が安定しているにも拘わらずＩＢＯＣ信号を取得できなかったことから、当該周波数帯ではデジタルラジオ放送がなくアナログラジオ放送のみが行われていると判断する。そして設定中のプリセットチャネルに対応した「周波数帯」に当該周波数帯の情報、「ＨＤ局判定」に「０２」をエントリして（Ｓ８）、本フローチャートの処理を終了させる。この「０２」は、そのチャネルがアナログラジオ放送のみを放送するチャネルであることを表すデータである。またＳ７の処理においてマイクロコンピュータ１５は、タイマＡがタイムアウトしていないと判定したとき（Ｓ７：ＮＯ）、Ｓ２の処理に復帰してＩＢＯＣ信号の取得を再度試みる。【００５８】
またＳ６の処理においてマイクロコンピュータ１５は、Ｓ３の処理で取得された受信強度が第一の閾値以下、或いはノイズレベルが第二の閾値以上である場合（Ｓ６：ＮＯ）、現在の周波数帯の受信状態が不安定であり不良と判断する。また、この受信状態がＩＢＯＣ信号を取得できるレベルにないとも判断する。そしてタイマＡをリセットして計時を中止し（Ｓ９）、Ｓ２の処理に復帰してＩＢＯＣ信号の取得を再度試みる。【００５９】
なお別の実施の形態ではＳ６の処理において、
（１）Ｓ３の処理で取得された受信強度が第一の閾値より高い
（２）Ｓ３の処理で取得されたノイズレベルが第二の閾値より低い
の何れかを満たすことで「ＹＥＳ」判定をするようにしても良い。【００６０】
またＳ２の処理においてマイクロコンピュータ１５は、ＩＢＯＣ信号を取得できたと判定したとき（Ｓ２：ＹＥＳ）、タイマＡをリセットして計時を中止し（Ｓ１０）、現在の周波数帯がデジタルラジオ放送を行っているチャネルであると判断する。次いで、設定中のプリセットチャネルに対応した「周波数帯」にそのプリセットチャネルの周波数帯を表すデータ、「ＨＤ局判定」に「０１」をエントリする。この「０１」は、そのチャネルがデジタルラジオ放送を含むチャネルであることを表すデータである。またＩＤＭ１６によるデコード処理から放送局名データを取得して「ショートネーム」にエントリする（Ｓ１１）。そして本フローチャートの処理を終了させる。【００６１】
このようなプリセットチャネル設定処理を各プリセットチャネルについて実行することにより、例えば図４に示されるようなデータが内部メモリＭに保持されることになる。この場合、ユーザがリモコン１８のプリセットチャネルボタン「１」、「４」、又は「６」の何れかを押下すると、それに対応したデジタルラジオ放送がスピーカ１３で出力再生される。またユーザがリモコン１８のプリセットチャネルボタン「２」又は「５」の何れかを押下すると、それに対応したアナログラジオ放送がスピーカ１３で出力再生される。またユーザがリモコン１８のプリセットチャネルボタン「０」又は「３」の何れかを押下すると、無局であるためスピーカ１３でノイズだけが出力されることになる。【００６２】
ここで、本実施形態のオーディオ装置１００では内部メモリＭに保持されたデータを用いてディスプレイ１９に放送局名を表示させることができる。図５に、放送局名をディスプレイ１９に表示させるための放送局名表示処理のフローチャートを示す。なお図５以降のフローチャートの処理においては、内部メモリＭが図４に示された状態であるものとしてそれぞれの説明を行う。【００６３】
図５のフローチャートの処理は、例えばリモコン１８の何れかのプリセットチャネルボタンが押下されると開始される。マイクロコンピュータ１５は、先ず、押下されたプリセットチャネル（以下、「選択プリセットチャネル」と記す）に対応したデータを内部メモリＭ（具体的には「周波数帯」のエントリデータ）から読み出す（Ｓ１０１）。次いで、選択プリセットチャネルの放送を復調して出力再生するためにチューナ２を制御して、読み出された「周波数帯」のエントリデータに対応したチューニング処理を実行する（Ｓ１０２）。【００６４】
マイクロコンピュータ１５はＳ１０２の処理に次いで、内部メモリＭから選択プリセットチャネルの「ショートネーム」のエントリデータを取得する（Ｓ１０３）。マイクロコンピュータ１５は、「ショートネーム」から放送局名データを取得したとき（Ｓ１０３：ＹＥＳ）、当該取得データに基づいて選択プリセットチャネルの放送局名をディスプレイ１９に表示させる（Ｓ１０４）。そして本フローチャートの処理を終了させる。これによりユーザは、選択プリセットチャネルの放送を聴取しつつその放送局名を視認できるようになる。【００６５】
またＳ１０３の処理においてマイクロコンピュータ１５は、内部メモリＭからヌルデータを取得したとき（Ｓ１０３：ＮＯ）、ＩＦ広帯域フィルタ３とＩＦアンプ６とを接続させるようフィルタ切替スイッチ５をスイッチング制御する。そして、選択プリセットチャネルに対するＩＤＭ１６によるデコード処理を試行する（Ｓ１０５）。次いで、この試行の結果、選択プリセットチャネルの放送局名データを取得できたか否かを判定する（Ｓ１０６）。【００６６】
Ｓ１０６の処理においてマイクロコンピュータ１５は、放送局名データを取得できない場合（Ｓ１０６：ＮＯ）、Ｓ１０５の処理を再試行する。また放送局名データを取得できた場合（Ｓ１０６：ＹＥＳ）、当該放送局名データを「ショートネーム」にエントリする（Ｓ１０７）。そしてＳ１０４の処理に進み、放送局名の表示処理を行う。なおＳ１０６の処理で「ＮＯ」判定が所定回数以上成された場合、選択プリセットチャネルではアナログラジオ放送のみが行われており、放送局名データを取得できないものとして、放送局名の表示を行うことなく本フローチャートの処理を終了させる。【００６７】
本実施形態のオーディオ装置１００によれば、放送局名データを予め保持するよう構成することで、例えばチャネル選局時に放送局名データを取得する動作を省くことが可能となる。この結果、例えば短時間で放送局名をディスプレイ１９に表示させることができる。【００６８】
なお図５のフローチャートのＳ１０３の処理において、ヌルデータを取得した時点で、選択プリセットチャネルではアナログラジオ放送のみが行われており、放送局名データを取得できないものとして、放送局名の表示を行うことなく処理を終了するようにしても良い。【００６９】
次に、内部メモリＭに保持されたデータを利用したフィルタの切替制御について説明する。この処理により、アナログラジオ放送のＣＮ比向上およびデジタルラジオ放送の受信を両立させるための帯域切替が迅速な動作で達成されるようになる。図６に、本実施形態のフィルタ切替処理のフローチャートを示す。【００７０】
図６のフローチャートの処理は、例えばリモコン１８の何れかのプリセットチャネルボタンが押下されると開始される。プリセットチャネルボタンが押下されると、マイクロコンピュータ１５は先に説明されたＳ１０１の処理と同様に、選択プリセットチャネルに対応した「周波数帯」のデータを内部メモリＭから読み出す（Ｓ２０１）。次いで、選択プリセットチャネルの放送を復調して出力再生するためにチューナ２を制御して、読み出された「周波数帯」のエントリデータに対応したチューニング処理を実行する（Ｓ２０２）。【００７１】
マイクロコンピュータ１５はＳ２０２の処理に次いで、内部メモリＭに保持された選択プリセットチャネルの「ＨＤ局判定」のエントリデータを参照する。そしてこのエントリデータが「０２」であるか否かを判定する（Ｓ２０３）。【００７２】
Ｓ２０３の処理において「０２」である場合（Ｓ２０３：ＹＥＳ）、マイクロコンピュータ１５は、選択プリセットチャネルがアナログラジオ放送だけを行っているチャネルであると判断する。そして、ＩＦ狭帯域フィルタ４とＩＦアンプ６とを接続させるようフィルタ切替スイッチ５をスイッチング制御する（Ｓ２０４）。すなわちＩＦアンプ６以降の入力信号の成分を狭帯域に制限する。これにより、デジタルラジオ放送用のサイドバンド（すなわち不要な帯域）をカットして隣接妨害の影響を軽減させて、アナログラジオ放送のＣＮ比を向上させる。【００７３】
ここで、フィルタ切替スイッチ５をＩＦ狭帯域フィルタ４にスイッチングしている場合であっても広帯域すなわちサイドバンドの信号を微弱ながらも検知することができる。マイクロコンピュータ１５はＳ２０４のスイッチング処理後、この微弱なサイドバンドの信号に基づいて、選択プリセットチャネルについてＩＤＭ１６によるデコード処理を試行する。そして、そのデコード結果としてＩＢＯＣ信号を取得できるか否かを判定する（Ｓ２０６）。附言するにＳ２０６の処理において、アナログラジオ放送だけを行っていると判断されたチャネルでデジタルラジオ放送が行われている可能性を探る。これは、図３のプリセットチャネル設定処理においてノイズ等の原因により、本来デジタルラジオ放送を行っているチャネルがアナログラジオ放送だけを行っているチャネルであると誤判断されることがあるためである。マイクロコンピュータ１５は、Ｓ２０６の処理でＩＢＯＣ信号を取得したと判定すると（Ｓ２０６：ＹＥＳ）、現在の選択プリセットチャネルがデジタルラジオ放送を行っているチャネルであると判断する。次いで、そのプリセットチャネルの「ＨＤ局判定」を「０２」から「０１」に書き換える。そしてＳ２０５の処理に進む。【００７４】
Ｓ２０３の処理において「０２」でない（すなわち「００」又は「０１」である）場合（Ｓ２０３：ＮＯ）、マイクロコンピュータ１５は、選択プリセットチャネルが、その何れの形式のラジオ放送を行っているか不明、或いはデジタルラジオ放送を行っているチャネルであると判断する（より包括的には、デジタルラジオ放送を行っている可能性のあるチャネルであると判断する）。そして、ＩＦ広帯域フィルタ３とＩＦアンプ６とを接続させるようフィルタ切替スイッチ５をスイッチング制御する（Ｓ２０５）。すなわちＩＦアンプ６以降の入力信号の成分を広帯域に制限する。これにより、「ＨＤ局判定」が「０１」の選択プリセットチャネルに関しては、デジタルラジオ放送がスピーカ１３で出力再生されるようになる。また選択プリセットチャネルがハイブリッド放送であるときには、ユーザ・オペレーションによる設定に応じて、アナログ又はデジタルラジオ放送の何れかがスピーカ１３で出力再生されるようになる。また、「ＨＤ局判定」が「００」の選択プリセットチャネルに関しては、無局であればノイズだけがスピーカ１３から出力されることになる。一方で、有局であればアナログ又はデジタルラジオ放送の何れかがスピーカ１３で出力再生されるようになる。マイクロコンピュータ１５はＳ２０５のスイッチング処理後、本フローチャートの処理を終了させる【００７５】
本実施形態のオーディオ装置１００によれば、選択対象のチャネルが何れの形式のラジオ放送を行っているかを表すデータを予め保持するよう構成することで、例えばチャネル選局時にＩＤＭ１６によるデコード結果に基づいてラジオ放送の形式を判定する処理を行う必要がなくなる。附言するに、チャネルの選局と同時に切替スイッチ５を制御して適切なフィルタへのスイッチングを行い、迅速な帯域設定を達成することが可能となる。なお「ＨＤ局判定」が「０１」のときには、デジタルラジオ放送に対する復調・再生処理を可能とするために広帯域に設定する。また「ＨＤ局判定」が「０２」のときには、狭帯域に設定して隣接妨害の影響を軽減させてアナログラジオ放送のＣＮ比向上を図る。また「ＨＤ局判定」が「００」のときには、そのチャネルでデジタルラジオ放送が行われている可能性があるため広帯域に設定する。【００７６】
次に、内部メモリＭに保持されたデータを利用したシーク処理について説明する。図７に、本実施形態のシーク処理のフローチャートを示す。図７のフローチャートの処理によれば、デジタルラジオ放送を行っているチャネルに対するシークを短い時間で実行することが可能となる。【００７７】
図７のフローチャートの処理は、例えばリモコン１８の何れかのプリセットチャネルボタンがダブルクリックされると開始される。マイクロコンピュータ１５は上記のダブルクリックに呼応して、先に説明されたＳ１０１の処理と同様に、選択プリセットチャネル（ここではダブルクリックされたボタンのプリセットチャネル）に対応した「周波数帯」のデータを内部メモリＭから読み出す（Ｓ３０１）。【００７８】
マイクロコンピュータ１５はＳ３０１の処理に次いで、スピーカ１３から音声が出力されないようミュート機能をオンする（Ｓ３０２）。次いで、マイクロコンピュータ１５はタイマＡをリセットし（Ｓ３０３）、更に、内蔵されたカウンタのカウント値Ｎを「１」にセットする（Ｓ３０４）。【００７９】
マイクロコンピュータ１５はＳ３０４の処理に次いで、カウント値Ｎが「８」であるか否かを判定する（Ｓ３０５）。ここで判定基準として採用されている数値は、プリセットチャネル数（本実施形態では７）に１を加えた数である。Ｓ３０５の処理においてマイクロコンピュータ１５は、カウント値Ｎが「８」でないと判定したとき（Ｓ３０５：ＮＯ）、Ｓ３０５以降の処理が行われていないプリセットチャネルが存在するとして、選択プリセットチャネルの「ＨＤ局判定」のエントリデータを参照する。そしてこのエントリデータが「０１」であるか否かを判定する（Ｓ３０６）。【００８０】
「０１」である場合（Ｓ３０６：ＹＥＳ）、マイクロコンピュータ１５は、選択プリセットチャネルがデジタルラジオ放送を行っているチャネルであると判断する。次いで、選択プリセットチャネルの放送を復調して出力再生可能なようにチューナ２を制御して、Ｓ３０１の処理で読み出された「周波数帯」のエントリデータに対応したチューニング処理を実行する（Ｓ３０７）。そして、タイマＡを「Ｍ」にセットして計時を開始する（Ｓ３０８）。また、計時開始と共にミュート機能をオフする（Ｓ３０９）。これにより、選択プリセットチャネルの放送がスピーカ１３で出力再生されるようになる。【００８１】
マイクロコンピュータ１５はＳ３０９の処理に次いで、タイマＡのタイムアウトを監視する（Ｓ３１０）。そしてタイムアウトが検知されたとき（Ｓ３１０：ＹＥＳ）、マイクロコンピュータ１５は、スピーカ１３からの音声出力をカットするためにミュート機能を再度オンする（Ｓ３１１）。次いで、カウント値Ｎを１インクリメントする（Ｓ３１２）。これに伴って、選択プリセットチャネルもその番号が前回よりも１大きいものに変更する。ただし、前回の選択プリセットチャネルが「６」であるときには例外的に「０」に変更する。Ｓ３１２のインクリメント処理後、マイクロコンピュータ１５はＳ３０５の処理に復帰する。【００８２】
またＳ３０６の処理においてマイクロコンピュータ１５は、「０１」でないと判定したとき（Ｓ３０６：ＮＯ）、選択プリセットチャネルでデジタルラジオ放送が行われていないと判断する。次いで、Ｓ３１２の処理と同様にカウント値Ｎを１インクリメントして、Ｓ３０５の処理に復帰する。つまり、この選択プリセットチャネルでのシークの一時停止処理（Ｓ３０７乃至Ｓ３１１の処理）を行うことなく、次の選択プリセットチャネルに対する処理を行う。【００８３】
またＳ３０５の処理においてマイクロコンピュータ１５は、カウント値Ｎが「８」であると判定したとき（Ｓ３０５：ＹＥＳ）、全てのプリセットチャネルに対してシーク処理を実行したものと判断する。次いで、最初の選択プリセットチャネル（すなわちダブルクリックされたボタンに対応したプリセットチャネル）の放送を復調して出力再生可能なようにチューナ２を制御する（Ｓ３１４）。それと共にミュート機能をオフする（Ｓ３１５）。これにより、最初の選択プリセットチャネルの放送がスピーカ１３で出力再生されるようになる。【００８４】
デジタルラジオ放送に対するシーク動作を行う際、従来は、有局と判断された周波数帯に対してＩＤＭ１６でデコード処理し、そのデコード結果に基づいてデジタルラジオ放送であるか否かを判断していた。これに対して本実施形態のオーディオ装置１００によれば、シーク対象が何れの形式のラジオ放送を行っているかを表すデータを予め保持するよう構成することで、ＩＤＭ１６でデコード処理を行うことなくデジタルラジオ放送をシークすることができる。時間の掛かるＩＤＭ１６によるデコード処理を省くことができるため、シーク動作に掛かる時間を削減することが可能となる。【００８５】
なお、エントリデータが「０２」であるか否かを判定するようにＳ３０６の処理内容を変更することで、アナログラジオ放送に対する迅速なシーク処理を実現することも可能となる。【００８６】
以上が本発明の実施の形態である。本発明はこれらの実施の形態に限定されるものではなく様々な範囲で変形が可能である。
【図１】
2008026696.tif 000003
【図２】
2008026696.tif 000004
【図３】
2008026696.tif 000005
【図４】
2008026696.tif 000006
【図５】
2008026696.tif 000007
【図６】
2008026696.tif 000008
【図７】
2008026696.tif 000009
【国際調査報告】
2008026696.tif 000010
2008026696.tif 000011